(57)【要約】【課題】相手に、自分の電話番号やメールアドレスを知らせることなく、相手からの連絡を受けることができる方法を提供する。【解決手段】本発明の通信方法は、受信者は自己の連絡先を暗号化した連絡先識別情報を通信相手である送信者に報知することと、送信者は受信者から取得した暗号化した連絡先識別情報を使用して受信者に連絡することと、を含む。上記暗号化した連絡先識別情報は二次元コード化した電話番号又は電子メールアドレスであってよい。【選択図】  図１
2004179915.tif 000002
【特許請求の範囲】
【請求項１】
受信者は自己の連絡先を暗号化した連絡先識別情報を通信相手である送信者に報知することと、送信者は受信者から取得した上記暗号化した連絡先識別情報を使用して上記受信者に連絡することとを含む通信方法。
【請求項２】
請求項１記載の通信方法において、上記暗号化した連絡先識別情報は二次元コード化した電話番号又は電子メールアドレスであることを特徴とする通信方法。
【請求項３】
請求項１記載の通信方法において、上記受信者は第三者を利用して自己の連絡先を暗号化すること、を含むことを特徴とする通信方法。
【請求項４】
請求項１記載の通信方法において、上記送信者は上記受信者から取得した暗号化した連絡先識別情報を受信者と送信者の間の通信を接続する通信サーバに送信すること、を含むことを特徴とする通信方法。
【請求項５】
請求項１記載の通信方法において、上記受信者は送信者を限定するための識別情報を受信者と送信者の間の通信を接続する通信サーバに送信すること、を含むことを特徴とする通信方法。
【請求項６】
請求項１記載の通信方法において、上記受信者は上記送信者からの連絡を時期的に制限するための時期的制限情報を受信者と送信者の間の通信を接続する通信サーバに送信すること、を含むことを特徴とする通信方法。
【請求項７】
請求項１記載の通信方法において、上記受信者は送信者からの連絡が着払いである旨を受信者と送信者の間の通信を接続する通信サーバに送信すること、を含むことを特徴とする通信方法。
【請求項８】
請求項１記載の通信方法において、上記受信者は自己の連絡先を上記受信者自身の通信端末によって暗号化することを特徴とする通信方法。
【請求項９】
請求項１記載の通信方法において、上記送信者は上記受信者から取得した暗号化した連絡先識別情報を上記送信者自身の通信端末によって解読し、解読した連絡先識別情報を表示することなく使用して上記受信者に連絡することを特徴とする通信方法。
【請求項１０】
受信者の通信端末と送信者の通信端末を含む通信システムにおいて、上記受信者の通信端末は上記送信者の通信端末に自己の連絡先を暗号化した連絡先識別情報を上記送信者の通信端末に報知するための連絡先識別情報報知手段を有し、上記送信者の通信端末は上記受信者の通信端末から報知された暗号化された上記連絡先識別情報を取得するための連絡先識別情報取得手段を有し、上記送信者の通信端末から上記受信者の通信端末に連絡するとき、上記暗号化された連絡先識別情報を使用することを特徴とする通信システム。
【請求項１１】
請求項１０記載の通信システムにおいて、上記暗号化した連絡先識別情報は二次元コード化した電話番号又は電子メールアドレスであることを特徴とする通信システム。
【請求項１２】
請求項１０記載の通信システムにおいて、更に上記受信者と送信者の間の通信を接続するための通信サーバを含むことを特徴とする通信システム。
【請求項１３】
請求項１２記載の通信システムにおいて、上記通信サーバは、上記受信者から送信された連絡先識別情報を暗号化し、該暗号化した連絡先識別情報を上記受信者に返送することと特徴とする通信システム。
【請求項１４】
請求項１２記載の通信システムにおいて、上記通信サーバは、上記送信者から送信された暗号化した連絡先識別情報を解読し、該解読した連絡先識別情報を使用して受信者と送信者の間の通信を接続することを特徴とする通信システム。
【請求項１５】
請求項１２記載の通信システムにおいて、上記通信サーバは、上記受信者から送信された送信者を限定するための送信者識別情報に基づいて上記受信者と連絡する送信者を限定することを特徴とする通信システム。
【請求項１６】
請求項１２記載の通信システムにおいて、上記通信サーバは、上記受信者から送信された送信者からの連絡を時期的に制限するための時期的制限情報に基づいて受信者に対する送信者の連絡を限定することを特徴とする通信システム。
【請求項１７】
請求項１２記載の通信システムにおいて、上記通信サーバは、上記受信者から上記送信者からの連絡が着払いである旨が送信された場合に、着払い料金にて通信を接続することを特徴とする通信システム。
【請求項１８】
請求項１０記載の通信システムにおいて、上記受信者の通信端末は、自己の連絡先を暗号化する機能を有することを特徴とする通信システム。
【請求項１９】
請求項１０記載の通信システムにおいて、上記送信者の通信端末は、上記受信者から取得した暗号化した連絡先識別情報を解読し、該解読した連絡先識別情報を表示することなく使用して上記受信者に連絡する機能を有することを特徴とする通信システム。
【請求項２０】
通信者は自己の連絡先を暗号化した連絡先識別情報を通信相手に報知する機能を有する通信端末。
【請求項２１】
通信者は通信相手から取得した暗号化した連絡先識別情報を使用して通信相手に連絡する機能を有する通信端末。
【発明の詳細な説明】
【０００１】
【発明の属する技術分野】
本発明は、通信端末を使用した通信方法及び通信システムに関する。
【０００２】
【従来の技術】
電話やＥメール等の通信方法では、相手から連絡を受けなければならない場合には、相手に自分の電話番号や電子メールアドレスを予め知らせなければならない。
【０００３】
しかしながら、未知の人又は初対面の人には、自分の電話番号や電子メールアドレスを教えたくないと思う。例えば、相手が信用の置ける人物かどうかの見極めがつかないままに自分の電話番号や電子メールアドレスを教えてしまった結果、悪質なストーカー被害に結びつくこともある。
また、相手からの連絡が１回限りの場合にも、相手に自分の電話番号や電子メールアドレスを教えたくないと思う。
【０００４】
特開２００１−５３７８７号公報には、限られたユーザー内でメールアドレスを非公開にする方法等が提案されている。この方法では、インターネットのホームページ上で、ホストコンピュータを仲介に自分のメールアドレスを非公開にしたままで相手からメールをもらうことができる。
【０００５】
しかしながら、従来、自分の電話番号や電子メールアドレスを教えることなしに、相手から、自分の電話や電子メールに連絡を入れてもらうことができる方法はなかった。
【０００６】
本発明の目的は、相手に、自分の電話番号やメールアドレスを知らせることなく、自分の電話や電子メールに相手からの連絡を受けることができる方法を提供することにある。
【特許文献１】
特開２００１−５３７８７号公報
【０００７】
【課題を解決するための手段】
本発明によると、通信方法は、受信者は自己の連絡先を暗号化した連絡先識別情報を通信相手である送信者に報知することと、送信者は受信者から取得した暗号化した連絡先識別情報を使用して受信者に連絡することとを含む。
【０００８】
上記暗号化した連絡先識別情報は二次元コード化した電話番号又は電子メールアドレスであってよい。
従って、本発明によると、相手に、自分の電話番号、電子メールアドレス等を教えずに、相手からの連絡を受けることができる。
【０００９】
本発明によると、受信者の通信端末と送信者の通信端末を含む通信システムにおいて、上記受信者の通信端末は上記送信者の通信端末に自己の連絡先を暗号化した連絡先識別情報を上記送信者の通信端末に報知するための連絡先識別情報報知手段を有し、上記送信者の通信端末は上記受信者の通信端末から報知された暗号化された上記連絡先識別情報を取得するための連絡先識別情報取得手段を有し、上記送信者の通信端末から上記受信者の通信端末に連絡するとき、上記暗号化された連絡先識別情報を使用する。
【００１０】
本発明によると、通信端末は、通信者は自己の連絡先を暗号化した連絡先識別情報を通信相手に報知する機能を有する。
本発明によると、通信者は通信相手から取得した暗号化した連絡先識別情報を使用して通信相手に連絡する機能を有する。
【００１１】
【発明の実施の形態】
図１を参照して本発明による通信システムの第１の例を説明する。本例の通信システムは、受信者の通信端末１００と送信者の通信端末２００と両者間の通信を中継するサービス運営会社のサーバ３００とを含む。
【００１２】
本例の通信システムでは、受信者の電話番号、電子メールアドレス等を秘匿化するために暗号手段を使用する。本例の通信システムでは、暗号手段の例として、二次元コードを使用するが、同様な機能を有するものであれば、二次元コード以外であってもよい。尚、二次元コードには、ＱＲコード（Ｑｕｉｃｋ    Ｒｅｓｐｏｎｓｅ    Ｃｏｄｅ）、マキシコード、データコード等のマトリックス型とＰＤＦ４１７のようなスタック型があるが、本例ではどのような二次元コードであってもよい。
【００１３】
受信者の通信端末１００は、自己の電話番号、電子メールアドレス等の連絡先識別情報及び他の情報を入力するための入力手段１０１と、サービス運営会社のサーバ３００と通信を行うためのサービス運営会社との通信手段１０２と、二次元コードを送信者の通信端末２００に報知するための二次元コード報知手段１０３と、送信者の通信端末２００との間で連絡通信を行うための連絡通信手段１０４と、を有する。
尚、二次元コード報知手段１０３の詳細については、図２を参照して説明する。
【００１４】
送信者の通信端末２００は、受信者の通信端末１００に連絡を取るときに二次元コード化された連絡先識別情報及び他の情報を入力するための入力手段２０１と、サービス運営会社のサーバ３００との通信を行うためのサービス運営会社との通信手段２０２と、受信者の通信端末１００から二次元コードを取得するための二次元コード取得手段２０３と、受信者の通信端末１００との間で連絡通信を行うための連絡通信手段２０４と、を有する。
尚、二次元コード取得手段２０３の詳細については、図２を参照して説明する。
【００１５】
サービス運営会社のサーバ３００は、受信者及び送信者の通信端末１００、２００と通信を行うための通信端末との通信手段３０１と、連絡先識別情報を二次元コードに変換するための二次元コード作成手段３０２と、送信者の通信端末２００から送信された二次元コードを解析するための二次元コード解析手段３０３と、送信者と受信者の間の連絡通信を中継するための連絡通信中継手段３０４と、を有する。
【００１６】
図２を参照して、二次元コード報知手段１０３と二次元コード取得手段２０３の例を説明する。受信者と送信者が比較的近距離内にいる場合には、二次元コード報知手段１０３は、例えば、二次元コードを表示するためのディスプレイ装置１０３１又は二次元コードを印刷するためのプリンタ１０３２であってよい。
【００１７】
二次元コード取得手段２０３は、二次元コード報知手段１０３によって表示された二次元コードを読み取り、二次元コードの画像データを出力するための二次元コード読み取り手段２０３１であってよく、例えば、電子カメラであってよい。例えば、二次元コード読み取り手段２０３１は、ディスプレイ装置１０３１に表示された二次元コードを読み取り、又は、プリンタ１０３２によって印刷された二次元コード１０３３を読み取り、二次元コードの画像データを出力する。
【００１８】
受信者と送信者が互いに遠隔地にいる場合には、二次元コード報知手段１０３は、二次元コードの画像データを電子メールに添付して送信することができる電子メール送信手段１０３５であってよい。二次元コード取得手段２０３は、二次元コードの画像データが添付された電子メールを受信することができる電子メール受信手段２０３５であってよい。
【００１９】
二次元コード報知手段１０３は受信者の通信端末１００に内蔵されたものであってよいが、受信者の通信端末１００に接続可能な外部機器であってよい。同様に、二次元コード取得手段２０３は送信者の通信端末２００に内蔵されたものであってよいが、送信者の通信端末２００に接続可能な外部機器であってよい。
図３を参照して、図１の通信システムを使用して送信者の通信端末２００から受信者の通信端末１００へ通信を行う方法の第１の例を説明する。
【００２０】
先ず、ステップＳ１０１にて、受信者は、通信端末１００に、通信相手から連絡を受けるために使用する連絡先識別情報を入力する。これは入力手段１０１を介して行う。連絡先識別情報は、例えば電話番号、電子メールアドレスであってよい。ステップＳ１０２にて、入力した連絡先識別情報をサービス運営会社のサーバ３００に送信する。これはサービス運営会社との通信手段１０２を介して行う。
【００２１】
ステップＳ３０１にて、サービス運営会社のサーバ３００は、連絡先識別情報を受信する。これは通信端末との通信手段３０１が行う。ステップＳ３０２にて、連絡先識別情報を二次元コードに変換する。これは二次元コード作成手段３０２が行う。二次元コードには、二次元コードの解析に必要な暗号を付加してよい。従って、送信者は、この暗号を入手しない限り、二次元コードより連絡先識別情報を復元することができない。
【００２２】
ステップＳ３０３にて、サービス運営会社のサーバ３００は、作成した二次元コードを受信者の通信端末１００に送信する。これは通信端末との通信手段３０１が行う。
【００２３】
ステップＳ１０３にて、受信者の通信端末１００は、二次元コードを受信する。これはサービス運営会社との通信手段１０２を介して行う。ステップＳ１０４にて、受信者の通信端末１００は、二次元コードを送信者の通信端末２００に報知する。これは二次元コード報知手段１０３を介して行う。
【００２４】
ステップＳ２０１にて、送信者の通信端末２００は、二次元コードを取得する。これは二次元コード取得手段２０３を介して行う。ステップＳ１０４における二次元コードの報知方法及びステップＳ２０１における二次元コードの取得方法の例は図２を参照して説明した。従って、ここではその説明を省略する。
【００２５】
こうして、送信者の通信端末２００は、受信者の通信端末１００から連絡先識別情報を二次元コードとして取得すると、それを使用して受信者の通信端末１００に対して通信を行うことができる。送信者は、受信者の二次元コード化された連絡先識別情報を知っているが、それを解読して復元しない限り、受信者の電話番号、電子メールアドレス等を知ることができない。送信者は、二次元コードを解読し復元するための解析手段を持っていても、二次元コード化したときの暗号を知らないから、二次元コードを電話番号、電子メールアドレスに復元することができない。
【００２６】
以下に、送信者が受信者に連絡する場合を説明する。ステップＳ２０２にて、送信者は、通信端末２００に、連絡先識別情報を表した二次元コードを入力する。これは入力手段２０１を介して行う。ステップＳ２０３にて、入力した二次元コードをサービス運営会社のサーバ３００に送信する。これはサービス運営会社との通信手段２０２を介して行う。同時に、送信者の通信端末２００は、サービス運営会社のサーバ３００に通信の仲介を依頼する。
【００２７】
ステップＳ３０４にて、サービス運営会社のサーバ３００は、二次元コードを受信する。これは、通信端末との通信手段３０１が行う。ステップＳ３０５にて、サービス運営会社のサーバ３００は、受信した二次元コードを解析し、受信者の連絡先識別情報を復元する。これは二次元コード解析手段３０３が行う。ステップＳ３０６にて、サービス運営会社のサーバ３００は、連絡先識別情報に基づいて、送信者の通信端末２００を受信者の通信端末１００に接続する。ステップＳ１０５及びＳ２０４にて、送信者と受信者は通信を行う。このとき、送信者は受信者の二次元コード化された連絡先識別情報を知っているが、電話番号、電子メールアドレス等そのものを知らない。
【００２８】
図４を参照して、図１の通信システムを使用して送信者の通信端末２００から受信者の通信端末１００に通信を行う方法の第２の例を説明する。本例の方法は、図３に示した第１の方法と比較して、送信者を限定するように構成されている点が異なり、それ以外は第１の方法と同様である。従って、第１の方法と同一の動作には同一のステップ番号を付し、その詳細な説明を適宜省略する。
【００２９】
先ず、ステップＳ１０１Ａにて、受信者は、通信端末１００に、通信相手から連絡を受けるために使用する連絡先識別情報と送信者の識別情報を入力する。これは入力手段１０１を介して行う。連絡先識別情報は、上述のように、例えば電話番号、電子メールアドレスである。送信者の識別情報は、通信相手を限定するための情報であり、受信者が通信相手に予め知らせておいてよい。従って、送信者の識別情報は通信相手である送信者のみが知っている。送信者の識別情報は、例えば、キーワード、ＩＤ番号、送信者の電話番号又は電子メールアドレスであってよい。
【００３０】
ステップＳ１０２Ａにて、入力した連絡先識別情報及び送信者の識別情報をサービス運営会社のサーバ３００に送信する。これはサービス運営会社との通信手段１０２を介して行う。
ステップＳ３０１Ａにて、サービス運営会社のサーバ３００は、連絡先識別情報及び送信者の識別情報を受信する。これは通信端末との通信手段３０１が行う。
【００３１】
次のステップＳ３０２及びＳ３０３の処理は、図３の第１の方法の場合と同様である。次のステップＳ１０３及びＳ１０４の処理は図３の第１の方法の場合と同様である。次のステップＳ２０１の処理は図３の第１の方法の場合と同様である。
【００３２】
ステップＳ２０１Ａにて、送信者は、通信端末２００に、送信者の識別情報を入力する。これは入力手段２０１を介して行う。次のステップＳ２０２の二次元コード（連絡先識別情報）の入力処理は、図３の第１の方法と同様である。
【００３３】
ステップＳ２０３Ａにて、入力した送信者の識別情報及び二次元コードをサービス運営会社のサーバ３００に送信する。これはサービス運営会社との通信手段２０２を介して行う。同時に、送信者の通信端末２００は、サービス運営会社のサーバ３００に通信の仲介を依頼する。
【００３４】
ステップＳ３０４Ａにて、サービス運営会社のサーバ３００は、送信者の識別情報及び二次元コードを受信する。これは、通信端末との通信手段３０１が行う。次に、ステップＳ３０４Ｂにて、サービス運営会社のサーバ３００は、受信者の通信端末１００から送信された送信者の識別情報と送信者の通信端末２００から送信された送信者の識別情報を照合し、両者が一致した場合には、次のステップＳ３０５に進む。両者が一致しない場合には、サービス運営会社のサーバ３００は処理を終了し、送信者の通信端末２００にその旨を通知する。
次のステップＳ３０５及びＳ３０６、ステップＳ１０５及びＳ２０４は図３の第１の方法と同様である。
【００３５】
図５を参照して、図１の通信システムを使用して送信者の通信端末２００から受信者の通信端末１００に通信を行う方法の第３の例を説明する。本例の方法は、図３に示した第１の方法と比較して、送信者の通信端末２００から受信者の通信端末１００への連絡に時間的な限定を設けるように構成されている点が異なり、それ以外は第１の方法と同様である。従って、第１の方法と同一の動作には同一のステップ番号を付し、その詳細な説明を適宜省略する。
【００３６】
先ず、ステップＳ１０１Ｂにて、受信者は、通信端末１００に、通信相手から連絡を受けるために使用する連絡先識別情報と通信相手からの連絡の有効期限を入力する。これは入力手段１０１を介して行う。連絡先識別情報は、上述のように、例えば電話番号、電子メールアドレスである。有効期限は、通信相手からの連絡を受理する期限であり、受信者が通信相手に予め知らせておいてよい。従って、通信相手から有効期限が過ぎてから連絡がされた場合には以下に説明するように、受信者は連絡を受け付けない。有効期限の設定方法としては、例えば、２００３年１２月３１日、本日から１ヶ月以内、のように日時を限定するように設定してもよいが、連絡通信の回数を例えば３回のように限定してもよい。
【００３７】
ステップＳ１０２Ｂにて、入力した連絡先識別情報及び有効期限をサービス運営会社のサーバ３００に送信する。これはサービス運営会社との通信手段１０２を介して行う。
ステップＳ３０１Ｂにて、サービス運営会社のサーバ３００は、連絡先識別情報及び有効期限を受信する。これは通信端末との通信手段３０１が行う。
【００３８】
次のステップＳ３０２及びＳ３０３の処理は、図３の第１の方法の場合と同様である。次のステップＳ１０３及びＳ１０４の処理は図３の第１の方法の場合と同様である。次のステップＳ２０１〜Ｓ２０３の処理は図３の第１の方法の場合と同様である。次のステップＳ３０４の処理は図３の第１の方法の場合と同様である。
【００３９】
次に、ステップＳ３０４Ｃにて、サービス運営会社のサーバ３００は、送信者の通信端末２００からの二次元コード（連絡先識別情報）が有効期限内に送信されたか否かを確認する。有効期限内である場合には、次のステップＳ３０５に進む。有効期限を過ぎた場合には、サービス運営会社のサーバ３００は処理を終了し、送信者の通信端末２００にその旨を通知する。
次のステップＳ３０５及びＳ３０６、ステップＳ１０５及びＳ２０４は図３の第１の方法と同様である。
【００４０】
図６を参照して、図１の通信システムを使用して送信者の通信端末２００から受信者の通信端末１００に通信を行う方法の第４の例を説明する。本例の方法は、図３に示した第１の方法と比較して、送信者の通信端末２００から受信者の通信端末１００への連絡の通信料及び他の諸費用を着払いにするように構成されている点が異なり、それ以外は第１の方法と同様である。従って、第１の方法と同一の動作には同一のステップ番号を付し、その詳細な説明を適宜省略する。
【００４１】
先ず、ステップＳ１０１Ｃにて、受信者は、通信端末１００に、通信相手から連絡を受けるために使用する連絡先識別情報と着払い情報を入力する。これは入力手段１０１を介して行う。連絡先識別情報は、上述のように、例えば電話番号、電子メールアドレスである。着払い情報は、通信相手からの連絡及びそれに関連したサービス運営会社のサーバ３００における処理の費用を受信者が支払うことを宣言した情報であり、受信者が通信相手に予め知らせてよい。
【００４２】
ステップＳ１０２Ｃにて、入力した連絡先識別情報及び着払い情報をサービス運営会社のサーバ３００に送信する。これはサービス運営会社との通信手段１０２を介して行う。
ステップＳ３０１Ｃにて、サービス運営会社のサーバ３００は、連絡先識別情報及び着払い情報を受信する。これは通信端末との通信手段３０１が行う。
【００４３】
次のステップＳ３０２及びＳ３０３の処理は、図３の第１の方法の場合と同様である。次のステップＳ１０３及びＳ１０４の処理は図３の第１の方法の場合と同様である。次のステップＳ２０１〜Ｓ２０３の処理は図３の第１の方法の場合と同様である。次のステップＳ３０４の処理は図３の第１の方法の場合と同様である。
【００４４】
次に、ステップＳ３０４Ｄにて、サービス運営会社のサーバ３００は、送信者の通信端末２００からの通信の仲介の依頼が着払いの対象であるか否かを検討する。着払いの対象である場合には、次のステップＳ３０５に進む。着払いの対象でない場合には、サービス運営会社のサーバ３００は処理を終了し、送信者の通信端末２００にその旨を通知する。
次のステップＳ３０５及びＳ３０６、ステップＳ１０５及びＳ２０４は図３の第１の方法と同様である。
【００４５】
図７を参照して本発明による通信システムの第２の例を説明する。本例の通信システムは、図１の第１の例と比較して、二次元コード解析手段２０５を、サービス運営会社のサーバ３００の代わりに送信者の通信端末２００が備える点が異なり、それ以外の構成は第１の例と同様であってよい。
【００４６】
図８を参照して、図７の通信システムの第２の例を使用して送信者の通信端末２００から受信者の通信端末１００へ通信を行う方法を説明する。本例の方法は、図３に示した第１の方法と比較して、二次元コードの解析を、サービス運営会社のサーバ３００の代わりに、送信者の通信端末２００の二次元コード解析手段２０５が行い、それ以外は第１の方法と同様である。従って、第１の方法と同一の動作には同一のステップ番号を付し、その詳細な説明を適宜省略する。
【００４７】
ステップＳ１０１〜Ｓ１０５の受信者の通信端末１００における処理、ステップＳ３０１〜Ｓ３０３におけるサービス運営会社のサーバ３００における処理、及び、ステップＳ２０１〜Ｓ２０２までの送信者の通信端末２００における処理は、図３に示した第１の方法の場合と同様である。
【００４８】
ステップＳ２０２Ａにて、送信者の通信端末２００は、入力した二次元コードを解析し、受信者の連絡先識別情報を復元する。これは二次元コード解析手段２０５が行う。次に、ステップＳ２０３Ｂにて、送信者の通信端末２００は、復元した受信者の連絡先識別情報をサービス運営会社のサーバ３００に送信する。これは、サービス運営会社との通信手段２０２を介して行う。
【００４９】
ステップＳ３０４Ｅにて、サービス運営会社のサーバ３００は受信者の連絡先識別情報を受信する。これは、通信端末との通信手段３０１を介して行う。次に、ステップＳ３０６にて、連絡先識別情報に基づいて、送信者の通信端末２００を受信者の通信端末１００に接続する。ステップＳ１０５及びＳ２０４にて、送信者と受信者は通信を行う。
【００５０】
図９を参照して本発明による通信システムの第３の例を説明する。本例の通信システムは、図１の第１の例と比較して、二次元コード作成手段１０５を、サービス運営会社のサーバ３００の代わりに受信者の通信端末１００が備える点が異なり、それ以外の構成は第１の例と同様であってよい。
【００５１】
図１０を参照して、図９の通信システムの第３の例を使用して送信者の通信端末２００から受信者の通信端末１００へ通信を行う方法を説明する。本例の方法は、図３に示した第１の方法と比較して、二次元コードの作成を、サービス運営会社のサーバ３００の代わりに、受信者の通信端末１００の二次元コード作成手段１０５が行い、それ以外は第１の方法と同様である。従って、第１の方法と同一の動作には同一のステップ番号を付し、その詳細な説明を適宜省略する。
【００５２】
先ず、ステップＳ１０１にて、受信者は、通信端末１００に、通信相手から連絡を受けるために使用する連絡先識別情報を入力する。これは入力手段１０１を介して行う。連絡先識別情報は、上述のように、例えば電話番号、電子メールアドレスである。次に、ステップＳ１０３Ａにて、連絡先識別情報を二次元コードに変換する。これは二次元コード作成手段１０５が行う。二次元コードには、上述のように、二次元コードの解析に必要な暗号を付加してよい。
【００５３】
次のステップＳ１０５における受信者の通信端末１００の動作、ステップＳ２０１〜Ｓ２０４における送信者の通信端末２００の動作、及び、ステップＳ３０４〜Ｓ３０６におけるサービス運営会社のサーバ３００の動作は、図３の第１の方法の場合と同様である。
【００５４】
図１１を参照して本発明による通信システムの第４の例を説明する。本例の通信システムは、図１の第１の例と比較して、二次元コード作成手段１０５を、サービス運営会社のサーバ３００の代わりに受信者の通信端末１００が備え、二次元コード解析手段２０５を、サービス運営会社のサーバ３００の代わりに送信者の通信端末１００が備える点が異なり、それ以外の構成は第１の例と同様であってよい。
【００５５】
図１２を参照して、図１１の通信システムの第４の例を使用して送信者の通信端末２００から受信者の通信端末１００へ通信を行う方法を説明する。本例の方法は、図３に示した第１の方法と比較して、二次元コードの作成を、サービス運営会社のサーバ３００の代わりに、受信者の通信端末１００の二次元コード作成手段１０５が行い、二次元コードの解析を、サービス運営会社のサーバ３００の代わりに、送信者の通信端末２００の二次元コード作成手段２０５が行い、それ以外は第１の方法と同様である。従って、第１の方法と同一の動作には同一のステップ番号を付し、その詳細な説明を適宜省略する。
【００５６】
先ず、ステップＳ１０１にて、受信者は、通信端末１００に、通信相手から連絡を受けるために使用する連絡先識別情報を入力する。これは入力手段１０１を介して行う。連絡先識別情報は、上述のように、例えば電話番号、電子メールアドレスである。次に、ステップＳ１０３Ａにて、連絡先識別情報を二次元コードに変換する。これは二次元コード作成手段１０５が行う。二次元コードには、上述のように、二次元コードの解析に必要な暗号を付加してよい。
【００５７】
次のステップＳ１０４及びＳ１０５における受信者の通信端末１００の動作、ステップＳ２０１及びＳ２０２における送信者の通信端末２００の動作は、図３の第１の方法の場合と同様である。ステップＳ２０２Ａ、Ｓ２０３Ｂ及びＳ２０４における送信者の通信端末２００の動作、及び、ステップＳ３０４Ｅ及びＳ３０６におけるサービス運営会社のサーバ３００における動作は、図８の方法の場合と同様である。
【００５８】
以上本発明の例を説明したが、本発明は上述の例に限定されるものではなく、特許請求の範囲に記載された発明の範囲にて様々な変形が可能であることは当業者に理解されよう。
【００５９】
【発明の効果】
本発明によると、相手に、自分の電話番号やメールアドレスを知らせることなく、相手からの連絡を受けることができる方法を提供することができる利点を有する。
【図面の簡単な説明】
【図１】本発明による通信システムの第１の例を示す図である。
【図２】本発明による二次元コード報知手段及び二次元コード取得手段の例を説明するための説明図である。
【図３】図１の通信システムの第１の例を使用した通信方法の第１の例を説明するための説明図である。
【図４】図１の通信システムの第１の例を使用した通信方法の第２の例を説明するための説明図である。
【図５】図１の通信システムの第１の例を使用した通信方法の第３の例を説明するための説明図である。
【図６】図１の通信システムの第１の例を使用した通信方法の第４の例を説明するための説明図である。
【図７】本発明による通信システムの第２の例を示す図である。
【図８】図７の通信システムの第２の例を使用した通信方法の例を説明するための説明図である。
【図９】本発明による通信システムの第３の例を示す図である。
【図１０】図９の通信システムの第３の例を使用した通信方法の例を説明するための説明図である。
【図１１】本発明による通信システムの第４の例を示す図である。
【図１２】図１１の通信システムの第４の例を使用した通信方法の例を説明するための説明図である。
【符号の説明】
１００…受信者の通信端末、１０１…入力手段、１０２…サービス運営会社との通信手段、１０３…二次元コード報知手段、１０４…連絡通信手段、１０５…二次元コード作成手段、２００…送信者の通信端末、２０１…入力手段、２０２…サービス運営会社との通信手段、２０３…二次元コード取得手段、２０４…通信連絡手段、２０５…二次元コード解析手段、３００…サービス運営会社のサーバ、３０１…通信端末との通信手段、３０２…二次元コード作成手段、３０３…二次元コード解析手段、３０４…連絡通信中継手段
【図１】
2004179915.tif 000003
【図２】
2004179915.tif 000004
【図３】
2004179915.tif 000005
【図４】
2004179915.tif 000006
【図５】
2004179915.tif 000007
【図６】
2004179915.tif 000008
【図７】
2004179915.tif 000009
【図８】
2004179915.tif 000010
【図９】
2004179915.tif 000011
【図１０】
2004179915.tif 000012
【図１１】
2004179915.tif 000013
【図１２】
2004179915.tif 000014